(57)【要約】【課題】  本発明は、基礎型枠の下端を同一直線上に配列固定すると共にベース天端のコテ仕上げを不要とした基礎型枠の取り付け構造を提供することを目的とするものである。【解決手段】  本発明は、ベース幅を設けて立ち上げられるベース基礎型枠１０内に配置される基礎型枠受けスペーサー２によって基礎型枠１を空中上に支持して立ち上げられるベース基礎一体打ち基礎型枠において、前記ベース基礎型枠１０の上部開口端に、前記基礎型枠１の下端の巾止め用として配置される基礎型枠受けセパレータ４の基礎型枠の内，外側の基礎型枠係留用ツメ部３との間に、基礎型枠受け部９が形成される如き前記基礎型枠受けセパレータの外側の基礎型枠係留用ツメ部３が挿入されるツメ挿入穴部６が開設されたベース基礎天板部５を備えた構成とする。【選択図】      図１
2006009408.tif 000002
【特許請求の範囲】
【請求項１】
ベース幅を設けて立ち上げられるベース基礎型枠内に配置される基礎型枠受けスペーサーによって基礎型枠を空中上に支持して立ち上げられるベース基礎一体打ち基礎型枠において、
前記ベース基礎型枠の上部開口端に、前記基礎型枠の下端の巾止め用として配置される基礎型枠受けセパレータの内，外側の基礎型枠係留用ツメ部との間に、基礎型枠受け部が形成されるように前記基礎型枠受けセパレータ外側の基礎型枠係留用ツメ部が挿入されるツメ挿入穴部が開設されたベース基礎天板部を備える
ことを特徴とする基礎型枠の取り付け構造。
【請求項２】
前記ベース基礎天板部が、複数枚の基礎型枠を同列状に配列できる１スパン長さとする
ことを特徴とする請求項１に記載の基礎型枠の取り付け構造。
【請求項３】
前記ベース基礎天板部の外側端に沿ってベース基礎型枠の上端と適宜接合するためのベース基礎型枠接合辺部を突設する
ことを特徴とする請求項１または２に記載の基礎型枠の取り付け構造。
【請求項４】
前記ベース基礎天板部の内側端に沿って基礎型枠内側端係留用辺部を突設する
ことを特徴とする請求項１、２または３に記載の基礎型枠の取り付け構造。
【請求項５】
前記ベース基礎天板部のツメ挿入穴部と同列状に基礎型枠外側端係留用辺部を突設する
ことを特徴とする請求項１、２、３または４に記載の基礎型枠の取り付け構造。
【請求項６】
前記ツメ挿入穴部をセパレータの外側の基礎型枠係留用ツメ部を挿入した際に、ベース基礎天端部の外側端に向けて一定幅の開口部が生じる大きさとする
ことを特徴とする請求項１、２、３、４または５に記載の基礎型枠の取り付け構造。
【請求項７】
前記前記開口部に着脱自在とされる蓋部を設ける
ことを特徴とする請求項６に記載の基礎型枠の取り付け構造。
【発明の詳細な説明】
【技術分野】
【０００１】
本発明は、基礎型枠の取り付け構造に関する。詳しくは、住宅施工のベース立ち上がり一体打ち基礎工事における基礎型枠の取り付け構造に係るものである。
【背景技術】
【０００２】
現在の一般的な住宅施工のベース立ち上がり一体打ち基礎工事は、図１０に示すように捨てコンクリート層１０１の上面に基礎型枠受けスペーサー１０２を一定間隔ごとに設置し、さらに基礎型枠受けスペーサー１０２の上に鉄筋１０３を配置する。
そして基礎型枠受けスペーサー１０２の上端に巾止金具１０４をそれぞれ配置し、この巾止金具１０４上に基礎型枠１０５を立ち上げるとともにベース補助鉄筋１０６にベース型枠支持スペーサー１０７を一定間隔ごとに取り付け、このベース型枠支持スペーサー１０７によってベース型枠１０８立ち上げるものである。
【０００３】
このようにして組み立てられた基礎型枠に対してコンクリートを打設する場合には図１１（ａ）に示すように、ベース型枠１０８内にコンクリート１０９を打設してベース部１１０の上面のコテ押さえをした後に、生コンクリートの固まり状態を確認しながら、図１１（ｂ）で示すように、基礎型枠１０５内にコンクリート１０９を打設し、養生期間を経た後にベース型枠１０８および基礎型枠１０５を取り外して、図１１（ｃ）に示すようにベース部１１０および立ち上がり部１１１を形成するものである。
【０００４】
しかし前記基礎型枠の場合ではベース型枠内にコンクリートを打設した後に、コテ仕上げを行わなければならない。打設後にベース部が適度に固まらない状態で基礎型枠内へのコンクリートを打設した場合に、ベース部分からコンクリートが漏れ出すなどの問題がある。
【０００５】
そこで図１２に示すように水平状のベース天板１１２が一体的に形成されるベース型枠１０８によって基礎型枠を組み立てることで、コテ仕上げやコンクリート漏れを解消する基礎型枠の取り付け構造がある。
【発明の開示】
【発明が解決しようとする課題】
【０００６】
しかしながら前記基礎型枠の取り付け構造ではコンクリートの養生後にベース型枠を取り外す場合には、コンクリートにベース型枠が密着しているために縦型のベース型枠に比べて、１スパン長さの天板がコンクリートに密着している状態でベース型枠を取り外すのは非常に煩雑となり、無理に引き剥がすことによってベース型枠が変形し再使用することができなくなるなどの問題がある。
【０００７】
また、コンクリート層の上面に一定間隔ごとに設置される基礎型枠受けスペーサーとの間に複数枚の基礎型枠を連結しながら架設する場合には、基礎型枠の底面が複数個の基礎型枠受けスペーサー上端にのみ支持で基礎型枠の組み立てを行わなければならず、組み立て作業が煩雑となると共に生コンクリートを基礎型枠内に流し込んだ際に基礎型枠下部の位置に狂いが生じるなどの問題がある。
【０００８】
本発明は、以上の点に鑑みて創案されたものであって、基礎型枠の下端を同一直線上に配列固定すると共にベース天端のコテ仕上げを不要とした基礎型枠の取り付け構造を提供することを目的とするものである。
【課題を解決するための手段】
【０００９】
上記の目的を達成するために、本発明に係る基礎型枠の取り付け構造は、ベース幅を設けて立ち上げられるベース基礎型枠内に配置される基礎型枠受けスペーサーによって基礎型枠を空中上に支持して立ち上げられるベース基礎一体打ち基礎型枠において、前記ベース基礎型枠の上部開口端に、前記基礎型枠の下端の巾止め用として配置される基礎型枠受けセパレータの内，外側の基礎型枠係留用ツメ部との間に、基礎型枠受け部が形成されるように前記基礎型枠受けセパレータ外側の基礎型枠係留用ツメ部が挿入されるツメ挿入穴部が開設されたベース基礎天板部を備える。
【００１０】
ここで、セパレータの基礎型枠の内，外側の基礎型枠係留用ツメ部との間に、基礎型枠受け部が形成される如き前記基礎型枠受けセパレータの外側の基礎型枠係留用ツメ部が挿入されるツメ挿入穴部が開設されたベース基礎天板部を設けることにより、前記基礎型枠受けセパレータ間に基礎型枠受け部が形成されると共に、基礎型枠によってベース基礎天板部が固定されてベース基礎型枠上端開口の天板としての併用が可能となる。
【００１１】
また、ベース基礎天板部を複数枚の基礎型枠を同列状に配列できる１スパン長さとする
ことで、複数の基礎型枠の下端を直線上に配列することが可能となるとともに、複数の基礎型枠を同時に支承することができることにより基礎型枠受けスペーサーおよび基礎型枠受けセパレータの本数を少なくすることができる。
【００１２】
さらに、ベース基礎天板部の外側端に沿ってのベース基礎型枠接合辺部を垂直上に突設することによりベース基礎型枠上端との接合がクギやネジ等によって容易に行うことが可能となり、かつベース基礎型枠を鉛直上に設置することができる。
【００１３】
また、ベース基礎天板部の内側端、あるいはツメ挿入穴部と同列状に基礎型枠内側端係留用辺部、基礎型枠外側端係留用辺部を突設することにより基礎型枠の下端を確実に嵌め入れることが可能となる。
【００１４】
また、ベース基礎天板部のツメ挿入穴部をセパレータの外側の基礎型枠係留用ツメ部を挿入した際に、ベース基礎天端部の外側端に向けて一定幅の開口部が生じる大きさとし、この開口部に蓋部を着脱自在な構成とすることにより、ベース基礎型枠内への生コンクリートの流し込みの際には蓋部によって生コンクリートの漏出を防止し、コンクリート硬化の後のベース基礎天板部の取り外しの際には蓋部を外すことでベース基礎天板部のツメ挿入穴部内に生ずる基礎型枠係留用ツメ部との隙間によってベース基礎天板部を容易に取り外すことが可能となる。
【発明の効果】
【００１５】
本発明の基礎型枠の取り付け構造では、基礎型枠受けスペーサー上に１スパン長さのベース基礎天板部を係止することによって、このベース基礎天板部の上面に基礎型枠を同一線上に配列することができ、かつベース基礎天板部によってベース基礎のテコによる天端仕上げが不要となる。
【００１６】
また、ベース基礎天板部のツメ挿入穴部の幅に余裕を持たせることにより基礎ベースが形成されるコンクリートよりベース基礎天板部を取り外す場合に容易に取り外すことが可能となる。
【００１７】
また、ベース基礎天板部の外側端に垂直状に設けられる接合部によってベース基礎型枠との接合が容易に行われるとともに、ベース基礎型枠を鉛直上に支持することが可能となる。
【発明を実施するための最良の形態】
【００１８】
以下、本発明の実施の形態を図面を参酌しながら説明し、本発明の理解に供する。
図１は、本発明を適用した基礎型枠の取付け構造の一例を説明するための斜視図、図２は、図１における断面説明図、図３は、本発明を適用した基礎型枠の取付け構造のベース基礎天板部の一例を説明するための斜視図、図４は、本発明を適用した基礎型枠の取付け構造のベース基礎天板部の他の例を説明するための斜視図である。
【００１９】
ここで示す基礎型枠の取付け構造は、ベースコンクリート層Ａ上面に対して、基礎型枠受けスペーサー２を所定間隔ごとに配列する。この基礎型枠受けスペーサー２上には、その上面に基礎型枠係留用ツメ部３が突設された基礎型枠受けセパレータ４が載置され、この基礎型枠係留用ツメ部３との間に基礎型枠１の下端を嵌入し、基礎型枠１の立ち上げを支持することができる構成とするものである。
【００２０】
そして基礎型枠受けセパレータ４上に１スパン長さおよび基礎型枠受けセパレータ４の内側の基礎型枠係留用ツメ部３より基礎ベース側端までの幅長さを有する板状のベース基礎天板部５を載置するものであり、このベース基礎天板部５は基礎型枠受けセパレータ４の外側の基礎型枠係留用ツメ部３が挿入できるツメ挿入穴部６が開設され、このツメ挿入穴部６内に基礎型枠係留用ツメ部３を挿入した場合にツメ挿入穴部６からベース基礎天板部５の内側端までが基礎型枠受けセパレータ４の外側および内側の基礎型枠係留用ツメ部３内に嵌入される構成とするものである。
【００２１】
さらに、基礎型枠受けセパレータ４の内側の基礎型枠係留用ツメ部３がベース基礎天板部５の内側端に接する以外のベース基礎天板部５の内側端に沿って基礎型枠内側端係留用辺部７が上方に突設された状態で形成されるものであり、さらにベース基礎天板部５の外側端に沿ってベース基礎型枠接合辺部８が基礎型枠内側端係留用辺部７と同様に上方に突設された状態で形成されるものである。
したがって基礎型枠内側端係留用辺部７と基礎型枠受けセパレータ４の外側の基礎型枠係留用ツメ部３との間に形成される基礎型枠受け部９内に基礎型枠の下端を嵌め入れることにより基礎型枠の位置決めが確実に行われることになる。
【００２２】
また、図４に示すように、ベース基礎天板部５のそれぞれのツメ挿入穴部６との間に、ツメ挿入穴部６の内側端延長線上に基礎型枠外側端係留用辺部１１が上方に突設された状態で形成されるものである。これにより基礎型枠内側端係留用辺部７と基礎型枠外側端係留用辺部１１との間に形成される基礎型枠受け部９内に基礎型枠の下端を嵌め入れることにより基礎型枠の位置決めが確実に行われることになる。
【００２３】
そしてベース基礎型枠接合辺部８には接合用孔部１２が所定間隔ごとに穿孔され、図５（ａ）で示すように、木製のベース基礎型枠１０に対して釘１３等によって接合を行い、図５（ｂ）で示すように、金属製のベース基礎型枠１０に対してはネジ１４などにより接合を行う構成とするものである。
【００２４】
また、ツメ挿入穴部６は外側方向へ幅を持たせた状態で開口されることにより基礎型枠受けセパレータ４の外側の基礎型枠係留用ツメ部３がツメ挿入穴部６内に係留された際に基礎型枠係留用ツメ部３の外側方向へツメ挿入穴部６が開口した状態となる。
【００２５】
そこで図６に示すように、ベース基礎枠体内へ生コンクリートを流し込む際には開口部１５内に蓋部１６を嵌め入れることでベース基礎枠体内からの生コンクリートの漏出を防ぐことが可能となり、ベース基礎天板部５を取り外す場合には蓋部１６を取り外すことで基礎型枠係留用ツメ部３との間に開口部１５面積分の隙間が生じることになりベース基礎天板部５の外側端を上方に持ち上げて容易に取り外すことが可能となる。
【００２６】
このようにして図２に示すように、基礎型枠受けセパレータ４上に１スパン長さのベース基礎天板部５を配置し、ベース補助鉄筋１７の両側端に取り付けられるベース型枠支持スペーサー１８によって立ち上げられるベース基礎枠体１０の上端とベース基礎天板部５の外側端に形成されるベース基礎型枠接合辺部８を釘などによって接合する。そしてベース基礎天板部５上に形成される基礎型枠受け部９内に基礎型枠１を同列状に配置し、この基礎型枠１の上端にその間隔を保持するためのセパレータ１９を嵌め入れ、サポート２０によって立ち上げられる基礎型枠１を支承するとともにアジャスター２１を調整することでサポート２０の長さを調整し、これにより基礎型枠１の上端の位置を調整する構成とするものである。
【００２７】
ここで示すベース基礎天板部は必ずしも基礎型枠内側端係留用辺部および基礎型枠外側端係留用辺部を形成する必要性は無く、ツメ挿入穴部が設けられているものであれば基礎型枠受けセパレータの内，外側の基礎型枠係留用ツメ部によって基礎型枠の下端を係留することができるが、基礎型枠内側端係留用辺部または、基礎型枠内側端係留用辺部および基礎型枠外側端係留用辺部を形成することで基礎型枠の下端を確実に同列状に配置することが可能となるとともにコンクリート内に埋設される基礎型枠受けスペーサーの数を少なくすることが可能となる。
【００２８】
また、ツメ挿入穴部は必ずしも外側方向へ幅を持たせた状態で開口される必要性は無く、基礎型枠係留用ツメ部が挿入できる大きさであっても構わないものであるが、ベース基礎天板部を取り外す場合に外側方向へ幅を持たせた状態で開口させることで、ベース基礎天板部の外側端を持ち上げるようにして容易にベース基礎天板部を取り外すことが可能となる。
【００２９】
以上の構成よりなる本発明では図７に示すように、ベースコンクリート層Ａ上に一定間隔ごとに配置される基礎型枠受けスペーサー２上および各基礎型枠受けスペーサー２との間に配置される基礎型枠受けセパレータ４上に１スパン長さのベース基礎型枠受け部１１を取り付けることにより、ベース基礎天板部５上に基礎型枠受け部１１が形成されることになり、この基礎型枠受け部１１内に１スパン長さの基礎型枠１を同列状に立ち上げることが可能となる。
【００３０】
そこで図８（イ）で示すように、まずベースコンクリート層Ａ上に組み立てられるベース基礎枠体１０内を満たすまで生コンクリートＢを投入する。そしてベース基礎枠体１０内の生コンクリートの硬化状態を確認した上で図８（ロ）で示すように基礎型枠１の設定高さまで生コンクリートＢの投入を行い、天端の水が無くなるまで待ち、天端レベリング剤により天端仕上げを行う。
【００３１】
次に生コンクリート打ち込み充分な養生を行った後に図９（イ）、（ロ）で示すように、基礎型枠を取り外し、ベース基礎枠体１０の上端とベース基礎天板部５の外側端に形成されるベース基礎型枠接合辺部８との接合を解除する。そしてベース基礎枠体１０をＣ矢印方向へ引き剥がすようにして取り外し、ベース基礎天板部５をＤ矢印方向へ持ち上げるようにして取り外す。これによりベース基礎枠体１０およびベース基礎天板部５は大きな力を要せずに容易に取り外すことが可能となり、ベース基礎一体打ちのベース部２２および立ち上がり部２３が形成されるものである。
【図面の簡単な説明】
【００３２】
【図１】本発明を適用した基礎型枠の取付け構造の一例を説明するための斜視図である。
【図２】図１における断面説明図である。
【図３】本発明を適用した基礎型枠の取付け構造のベース基礎天板部の一例を示す説明図である。
【図４】本発明を適用した基礎型枠の取付け構造のベース基礎天板部の他の例を示す説明図である。
【図５】本発明を適用した基礎型枠の取付け構造のベース基礎天板部とベース基礎枠体との接合例を示す説明図である。
【図６】本発明を適用した基礎型枠の取付け構造におけるベース基礎天板部のツメ挿入穴部の一例を示す説明図である。
【図７】本発明を適用した基礎型枠の取付け構造による基礎型枠の組み立て状態を示す側面説明図である。
【図８】本発明を適用した基礎型枠の取付け構造における生コンクリート投入工程を示す説明図である。
【図９】本発明を適用した基礎型枠の取付け構造における型枠の取り外し工程を示す説明図である。
【図１０】従来の基礎型枠の取付け構造の一例を示す説明図である。
【図１１】図１０におけるベース基礎一体打ちの施工工程を示す説明図である。
【図１２】従来の基礎型枠の取付け構造の他の例を示す説明図である。
【符号の説明】
【００３３】
１      基礎型枠
２      基礎型枠受けスペーサー
３      基礎型枠係留用ツメ部
４      基礎型枠受けセパレータ
５      ベース基礎天板部
６      ツメ挿入穴部
７      基礎型枠内側端係留用辺部
８      ベース基礎型枠接合辺部
９      基礎型枠受け部
１０    ベース基礎型枠
１１    基礎型枠外側端係留用辺部
１２    接合用孔部
１３    釘
１４    ネジ
１５    開口部
１６    蓋部
１７    ベース補助鉄筋
１８    ベース型枠支持スペーサー
１９    セパレータ
２０    サポート
２１    アジャスター
２２    ベース部
２３    立ち上がり部
【図１】
2006009408.tif 000003
【図２】
2006009408.tif 000004
【図３】
2006009408.tif 000005
【図４】
2006009408.tif 000006
【図５】
2006009408.tif 000007
【図６】
2006009408.tif 000008
【図７】
2006009408.tif 000009
【図８】
2006009408.tif 000010
【図９】
2006009408.tif 000011
【図１０】
2006009408.tif 000012
【図１１】
2006009408.tif 000013
【図１２】
2006009408.tif 000014